(57)【要約】【課題】  電源さえあれば、燃料を購入したり注入したりする必要がなく、強い暖房効果が得られる温水式暖房機を提供する。またさらに、移動させることができて使い勝手のよい温水式暖房機を提供する。【解決手段】  温水式暖房機１は、a)タンク３内の水を電気ヒーター４によって加熱する温水発生器２と、b)その温水を電動ポンプ６によってフィン８付きの管路７に循環させる放熱器５と、c)室内空気を放熱器５のフィン８に接触させて室内に吹き出す電動式の送風機９とを有するものとして構成している。また、温水発生器２と放熱器５と送風機９とを一体に組み付け、そのまま一体の状態で運搬され得るようにしている。【選択図】    図１
0003212357.tif 000002
【実用新案登録請求の範囲】
【請求項１】
タンク内の水を電気ヒーターによって加熱する温水発生器と、その温水を電動ポンプによってフィン付きの管路に循環させる放熱器と、室内空気を当該放熱器のフィンに接触させて室内に吹き出す電動式の送風機とを有することを特徴とする温水式暖房機。
【請求項２】
上記した温水発生器、放熱器および送風機が一体に組み付けられていて、そのまま運搬され得るものであることを特徴とする請求項１に記載の温水式暖房機。
【請求項３】
上記温水発生器が、タンク内の水位を表示する水位計と、水位が規定値以下となったときそれを検知して報知する水位センサーとを有することを特徴とする請求項１または２に記載の温水式暖房機。
【請求項４】
上記した電気ヒーター、電動ポンプおよび送風機をともに機能させる通常運転用スイッチとともに、上記の電動ポンプおよび送風機を停止状態にしながら上記電気ヒーターを機能させる予熱・保温用スイッチを有することを特徴とする請求項１〜３のいずれかに記載の温水式暖房機。
【請求項５】
当初は上記の電動ポンプおよび送風機を停止状態にしながら上記電気ヒーターを機能させ、タンク内の水が設定温度以上になった時点で上記の電気ヒーター、電動ポンプおよび送風機をともに機能させるという、予熱後運転用タイマーを有することを特徴とする請求項１〜４のいずれかに記載の温水式暖房機。
【請求項６】
上記の水が、防錆剤を含むものであることを特徴とする請求項１〜５のいずれかに記載の温水式暖房機。
【考案の詳細な説明】
【技術分野】
【０００１】
本発明は、温水の熱で空気を加熱することにより室内を暖房する温水式暖房機に関するものである。
【背景技術】
【０００２】
温水の熱によって室内を暖房する温水式暖房機として、下記の特許文献１に記載されたものがある。同文献に記載の温水式暖房機は図３のように構成されたもので、ポンプＰによって温水を循環させる熱交換器（放熱器）Ｈと、その熱交換器Ｈの外面を経て空気を吹き出す送風機（図示されず）とを暖房機の各機枠１’内に設け、１台のボイラー（温水発生器）Ｂで沸かした温水を複数の機枠１’に供給する。熱交換器Ｈにおいて温水の熱が空気に伝達され、その空気が送風機にて室内に吹き出される。ボイラーＢの熱源について同文献中に記載はないが、複数の機枠１’に対して同時に多量の温水を供給する必要があることと通常の「ボイラー」の概念から、灯油やプロパンガス等を熱源として使用するものと考えられる。
【先行技術文献】
【特許文献】
【０００３】
【特許文献１】実開昭６１−１５６８１４号公報
【考案の概要】
【考案が解決しようとする課題】
【０００４】
上記した従来の温水式暖房機には、つぎような課題がある。
イ）  ボイラーに使用する灯油等の燃料を容易には入手できない場合が少なくない。たとえば、人口の少ない地域では、石油やガスの販売店が少なくなっている。近年、原油の高騰によるコスト割れ等を理由に閉鎖する石油販売店も相次いでいる。離れた他の地域の販売店で購入しようにも、高齢化のため、クルマで出かけられる人は多くない。配達を依頼するにしても、配達手数料が高齢者には重い負担となる。
ロ）  上記のように高齢化が進んだ地方では、燃料を購入できても、それをバーナー用のタンクに注入しづらい人が多い。体力的な理由もあるが、安全面での事情もある。購入や注入の頻度を減らすために大型の容器を使用するなら、その取扱いはさらに容易でなくなる。
ハ）  図３のように、暖房機の各機枠１’が温水用の配管ＴによってボイラーＢに接続されているため、各機枠１’を自由には移動させることができない。来客があったとき等に機枠１’を別室等に急遽移動したいとしてもそれができないため、一般の住宅で使用する暖房機としては使い勝手が良くない。
【０００５】
上記イ）〜ハ）のような課題を有しない暖房機としてオイルヒーターがある。密閉容器内のオイルを電気ヒーターで暖め、その熱を容器外面の放熱板から放熱して室内空気を暖める暖房機である。家庭用電源を使用でき、オイルの交換や補充が必要でなく、設置場所を移すことも可能である。輻射熱によって室内を暖め、やわらかい暖かさをもたらすという利点もある。
しかし、オイルヒーターは暖房効果が弱く温風を吹き出す機能もないため、部屋全体の温度を上げるうえでも、特定の人を手早く暖めるうえでも物足りない。
【０００６】
本考案の目的は、電源さえあれば燃料を購入したりタンク等に注入したりする必要がなく、しかも暖房効果の強い温水式暖房機を提供すること、またさらに、移動させることができて使い勝手のよい温水式暖房機を提供することである。
【課題を解決するための手段】
【０００７】
考案による温水式暖房機は、
・  タンク内の水を電気ヒーターによって加熱する温水発生器と、
・  その温水を電動ポンプ（電気で機能するポンプ。電磁ポンプを含む）によってフィン付きの管路に循環させる放熱器と、
・  室内空気を放熱器のフィンに接触させて室内に吹き出す電動式の送風機と
を有することを特徴とする。
こうした温水式暖房機には、つぎのような利点がある。すなわち、
1)  放熱器における温水循環用のポンプと、その放熱器に触れさせて空気を吹き出す送風機とが電動式であることに加え、温水発生器において水を加熱するための手段も電気によるヒーターである。すなわち、この暖房機においては、エネルギー源として電力のみを使用する。そのため、電源（コンセント）さえあれば、灯油等の燃料を購入したり、それを暖房機内に注入したりする必要がないため、石油販売店等が少ない地方で高齢者が使用するうえで好ましい暖房機である。
2)  燃焼熱によって暖房をするものではないため、燃焼ガスを発生せず、密閉された室内においても空気が常に清浄に保たれ、したがって空気の入れ換えが不要である。
3)  上記の送風機が、室内空気を上記放熱器のフィンに接触させ温風として室内に吹き出すことから、暖房効果が高い。比較的短時間で部屋全体を暖めることができるほか、とくに身体が冷えた人は、吹き出す温風の前に座るなどすることによって早く暖まることも可能である。
【０００８】
考案による上記の温水式暖房機は、とくに、上記した温水発生器、放熱器および送風機が一体に組み付けられていて、そのまま（つまり一体に組み付けられた状態で）運搬され得るものであると好ましい。
上記の温水式暖房機は、上記の機器が一体に組み付けられており、外部にあるそれらの機器と配管によって接続されるものではない。そのため、重さが過剰でなく全体が運搬され得るものであるなら、移動させやすく、したがって事情に応じて別室等にも移して使用することができる。つまり、一般の住宅用の暖房機等として使い勝手がよいといえる。
【０００９】
上記の温水式暖房機は、上記温水発生器が、タンク内の水位を表示する水位計と、水位が規定値以下となったときそれを検知して報知する水位センサーとを有するものであると好ましい。
考案による上記の温水式暖房機は、上記のとおり灯油等を補給する必要がなく、安全で取り扱いが容易であるが、温水発生器におけるタンク内に常に一定以上の水があるようにする必要がある。水位（水量）が規定値以下になると、上記の電動ポンプが水を循環させることができず、温水発生器が機能しなくなる。
その点、考案の温水式暖房機が上記のように水位計と水位センサーとを有するなら、ユーザーが水の補給を忘れることがなく、タンク内に常に一定量以上の水が確保される。なお、灯油等を補給することに比べて、水の補給は簡単かつ安全である。
【００１０】
上記の温水式暖房機は、上記した電気ヒーター、電動ポンプおよび送風機をともに機能させる通常運転用スイッチとともに、上記の電動ポンプおよび送風機を停止状態にしながら上記電気ヒーターを機能させる予熱・保温用スイッチを有するものであれば、さらに好ましい。
通常運転用スイッチをオンにすると、電気ヒーター、電動ポンプおよび送風機がともに機能することにより、タンク内に生じた温水が放熱器に送られ、そこで温水の熱を受ける空気が送風機にて室内に吹き出され、室内が暖められる。しかし、タンク内の水を加熱して温水にするには一定の時間がかかるため、暖かい空気がすぐに吹き出されるとは限らない。むしろ、冷たい水が放熱器に循環する間に送風機が空気を吹き出すと、冷たい風を受けて暖房機付近の人が却って寒く感じる恐れがある。
その点、上記した予熱・保温用スイッチがあると、そのような事態を避けることができる。予熱・保温用スイッチをオンにすると、電動ポンプと送風機とが動作しないので、タンク内の水が放熱器へ循環することがなく送風もされず、したがって人に風が当たることがない。そしてタンク内の水は、放熱器等へ送られることなく電気ヒーターにより加熱（予熱）されて温水となる。タンク内の水が適温（４５℃程度以上であれば好ましい）の温水となった時点で、通常運転用スイッチをオンにすることにより、暖かい空気が室内に吹き出される。
また、温水暖房機の使用を一旦終了するものの数十分以内に再度使用する、という場合等には、通常運転を終了するとともに予熱・保温用スイッチをオンにするとよい。それにより、電動ポンプと送風機とを停止状態にしながら電気ヒーターを機能させて、タンク内の水を保温するのである。そのようにすると、再度使用する際、通常運転用スイッチをオンにすると直ちに暖かい空気が吹き出される。
【００１１】
上記の温水式暖房機は、下記1)〜3)を実現する予熱後運転用タイマーを有するとさらに好ましい。予熱後運転用タイマーによる操作はつぎのとおりである。
1)  当初（すなわち、当該タイマーをオンにした直後、または当該タイマーをオンにした後に設定時間が経過した直後）は、上記の電動ポンプおよび送風機を停止状態にしながら上記電気ヒーターを機能させ、
2)  タンク内の水の温度を測定しておき、それが設定温度（たとえば４５℃）以上になった時点で、
3)  上記の電気ヒーターに加えて、電動ポンプおよび送風機をも機能させる。
このような予熱後運転用タイマーにより温水式暖房機が上記1)〜3)の順に機能すると、暖房機が運転を開始したとき付近の人が冷たい風を受けて寒く感じることが避けられる。それは、上記した予熱・保温用スイッチと通常運転用スイッチとを適切な時間間隔でオンにする場合と同様のことが自動的に実現され、タンク内の水を予熱したうえで通常運転が開始されるからである。すなわち、まず運転開始直後すなわち上記1)の時点では、電動ポンプと送風機とが動作しないので風が吹き出すことがなく、タンク内において電気ヒーターにより水が加熱（予熱）される。タンク内の水は、放熱器等へ送られることなく速やかに温度上昇するが、上記2)のように設定温度に達すると、上記3)のとおり電気ヒーター、電動ポンプおよび送風機がともに機能する通常運転が始まる。そのため、暖房機から冷たい空気が出ずに、暖かい空気のみが室内に吹き出される。
なお、上記3)において電動ポンプと送風機とを機能させる際、電動ポンプを送風機より先に起動するようにするととくに好ましい。電動ポンプを起動して放熱器に温水を循環させ、放熱器が十分に温度上昇した後に送風機を起動するのが、暖かい空気のみを吹き出させるうえで効果的だからである。
【００１２】
上記の水が防錆剤を含むものであると有利である。
防錆剤を含む水を使用すると、水に接するタンクや配管、放熱器等が錆びにくいため、特殊な合金や不銹鋼等を各部に使用する必要がなく、したがって暖房機を低コストで構成することができる。また、メンテナンスの負担も軽微になる。
【考案の効果】
【００１３】
考案の温水式暖房機は、電源さえあれば常に使用することができ、燃料を購入したりそれを暖房機内に注入したりする必要がないため、過疎地等において高齢者が使用するうえで好ましい。密閉された室内においても空気の入れ換えを行う必要がない、送風機が室内に温風を吹き出すため暖房効果が高い、といった効果もある。
そのほか、考案の温水式暖房機は、移動させやすいものとすることができ、水の補給を忘れないようにしてタンク内に水を確保しやすくし、また、運転開始時に冷たい風が吹き出されることを防止することも可能である。
なお、考案の温水式暖房機は、一般の家庭において使用するに適しているほか、小さな温室で使用し、またはビニールハウスの補助暖房とすることも可能である。
【図面の簡単な説明】
【００１４】
【図１】考案の一例である温水式暖房機１について内部構造を示す概念図である。
【図２】上記の温水式暖房機１の外観を示す斜視図である。
【図３】従来の（特許文献１に記載された）温水式暖房機を示す系統図である。
【考案を実施するための形態】
【００１５】
考案の実施例としての温水式暖房機を、まず図１に基づいて説明する。温水式暖房機１は、温水発生器２と放熱器５、送風機９を主要部として構成している。
まず温水発生器２は、水を入れておくタンク３と、その下部に設けられた電気ヒーター４とを組み合わせたものである。たとえば、タンク３の容量は約４リットルとし、電気ヒーター４としては最大出力が２ｋＷ程度の抵抗加熱式のものを使用する。タンク３には、上部に水の補給口（ねじ式のキャップ付き）３ａを設けているほか、水位計３ｂと水位センサー３ｃ、および水温センサー３ｄを取り付けている。水位計３ｂは、水位を目視で確認できるもので、適正水位が表示される高さ位置に取り付ける。水位センサー３ｃは、許容最下限まで水位が下がったときそれを検知するもので、音声またはランプによるアラーム機器（図示省略）に接続している。水温センサー３ｄは、タンク内の水温を測定し、設定温度範囲（たとえば４５℃〜９８℃）にあるか否かを検知する。
なお、タンク３内の水として防錆剤を含めておくとよい。また、寒冷地では不凍液を使用するのも好ましい。
【００１６】
放熱器５は、エンジン等の冷却に使用されるラジエターと同様に構成したものである。すなわち、上記タンク３の上部と下部とに接続して蛇行状に経路を設けた管路７と、その外表面に取り付けた放熱用の多数のフィン８、および管路７に設けた電動ポンプ６とを組み付けている。上記のタンク３に温水を入れてポンプ６を起動すると、その温水は、タンク３の上部または中ほどから管路７内に送られ、多数のフィン８に接する部分を経てタンク３の下部へと循環する。フィン８に接する部分では、空気との間で熱交換されることによって温水の熱が空気に伝えられる。
【００１７】
また送風機９は、暖房機１が設置された室内の空気を、上記放熱器５のフィン８に接触させて室内に吹き出すために使用する。室内の空気を、送風機９の吸い込み側（上流側）でフィン８に接触させることとしてもよく、送風機９が吹き出した下流側の空気をフィン８に接触させるようにしてもよい。送風機９の形式はとくに限定されず、シロッコファンやプロペラファンなど各種のものを使用できる。送風機９は、フィン８に接触する空気にこうして流速を付与することにより、上記放熱器５における温水・空気間の熱移動を活発化させるわけである。
【００１８】
上記した温水式暖房機１の外観は図２のとおりである。図１に示した温水発生器２、放熱器５、送風機９を含む全体が一体に組み込まれ、塗装鋼板等により覆われている。
放熱器５や送風機９が設けられた部分の前面には、図２のように空気の吹き出し口９ａを設け、それを前面とする暖房機１の左右側面には、一体として運搬することを容易にする持ち手部分１ａを形成している。背面には、電気ヒーター４や電動ポンプ６、送風機９等に電力を供給するためのプラグ１ｂを接続し、また上面には、電動ポンプ６のためのメンテナンス開口（蓋付き）６ａを設けてもいる。
【００１９】
暖房機１の前面上部にはスイッチ類を配置している。図２中の符号１０、１１、１２および１３は、それぞれ、通常運転用スイッチ、予熱・保温用スイッチ、停止用スイッチ、およびタイマー設定部である。
通常運転用スイッチ１０は、図１の電気ヒーター４と電動ポンプ６と送風機９とをともに機能させるためのもので、停止用スイッチ１２は、それらをともに停止させるものである。そして予熱・保温用スイッチ１１は、電動ポンプ６と送風機９とを停止状態にしながら電気ヒーター４を機能させるスイッチである。予熱・保温用スイッチ１１をオンにすると、タンク３内の水が低温（たとえば４５℃未満）であるときその水を予熱し、または、暖房機１を短時間の停止の後に再度運転するとき等に温水を保温しておくことができる。
【００２０】
またタイマー設定部１３は、設定時刻になったとき、まずはタンク３内の水の予熱のみを行い、その後、通常運転としてさらに放熱器５と送風機９を起動するいわゆる予熱後運転を予約設定するための操作パネルである。予熱を開始する（つまり電気ヒーター４に通電する）までの時間（その開始時刻）と、通常運転を開始する（つまり放熱器５と送風機９とを起動する）ときのタンク３内の水温とを設定することができる。
予熱・保温用スイッチ１１ｓを適切に手動操作し、または、タイマー設定部１３を利用して自動的に予熱後運転をさせると、運転開始の際に暖房機１から冷たい空気が吹き出すことが避けられる。
【００２１】
以上のような温水式暖房機１を使用すると、一般的な家庭用石油ストーブを使用する場合に比べて、エネルギーコストを数分の１かそれ以下に抑えることも可能である。
また、温水式暖房機１にはさらに、転倒時の危険防止スイッチを付設したり、送風機９の送風量につき可変スイッチを設けたりするのもよい。携帯電話からの入力によって上記予熱後運転を予約できるようにするのも好ましい。
【符号の説明】
【００２２】
１  温水式暖房機
１ｂ  コンセント
２  温水発生器
３  タンク
３ｂ  水位計
３ｃ  水位センサー
４  電気ヒーター
５  放熱器
６  電動ポンプ
７  管路
８  フィン
９  送風機
９ａ  吹き出し口
１０  通常運転用スイッチ
１１  予熱・保温用スイッチ
１２  停止用スイッチ
１３  タイマー設定部
【図１】
0003212357.tif 000003
【図２】
0003212357.tif 000004
【図３】
0003212357.tif 000005